(57)【特許請求の範囲】
【請求項１】
電源コードの取付け基端部を保持するケーブル取付部が、フレームの一部を利用してフレームの内側に形成されており、
前記電源コードの取付け基端部にはケーブルの延びる方向と直交する方向に横方向に張り出した係合フランジが形成されており、一方前記ケーブル取付部には前記係合フランジを上方から受け入れる係合溝部と、前記係合溝部が形成された案内側板と、取付け基端部の下面を下方から支持する支持板とが設けられており、
前記ケーブル取付部は、フレームの一部を打ち抜き、内側に折り曲げ加工することにより、フレームと一体的に成形されており、
前記内側に折り曲げ加工する際に、前記案内側板はケーブルの延びる方向と垂直な方向である縦方向にフレームとの間で隙間が設けられるように折り曲げ加工され、さらにケーブルの延びる方向と直行する方向である横方向に折り曲げ加工する場合にもフレームとの間で隙間が設けられるように折り曲げ加工されていることを特徴とする電源コードの取付装置。
【請求項２】
請求項１において、前記電源コードの取付け基端部はフレームの上部開放面を閉塞する上蓋に形成されるケーブル押さえ部と前記ケーブル取付部とにより挟持されることによってフレームに固定状態で保持されることを特徴とする電源コードの取付装置。
【請求項３】
請求項１または２のいずれかに記載の電源コードの取付装置を備えていることを特徴とする記録装置。
【発明の詳細な説明】
【０００１】
【発明の属する技術分野】
本発明は、電源コードの取付け基端部を保持し、該取付け基端部をフレームに対して取り付ける電源コードの取付装置及び該構造を備える記録装置に関する。
【０００２】
【従来の技術】
従来の電源コードの取付装置１０１は図５に示す如く、フレーム１０３に対し、フレーム１０３とは別部材のケーブルホルダ１０５を外部に張り出すように取り付け、このケーブルホルダ１０５によって電源コードの取付け基端部１０７を保持するという構造を採っていた。このケーブルホルダ１０５は上下に２分割される下部ホルダ１０９と上部ホルダ１１１とによって構成されており、これらはプラスチック製材料で構成されていることが多い。
【０００３】
しかし機械的強度に劣るプラスチック製材料でケーブルホルダ１０５を形成するためには必然的に頑強な構造を採らざるを得ないため、ケーブルホルダ１０５自体がフレーム１０３の外面に突出するように大きくなりがちであった。またケーブルホルダ１０５はフレーム１０３とは別個に用意しなければならず、部品点数の増大及び金型製作にかかる工賃の上乗せ等もあって、ケーブルホルダ１０５の存在は製造コスト削減にとって、１つの障壁になっていた。
【０００４】
【発明が解決しようとする課題】
従って本発明は、このようなケーブルホルダの存在の必要性を見直し、これに代わる新たな電源コードの取付構造を採用することによって、部品点数の減少及び製品の奥行寸法の減少を達成し、また製品コストの削減及び製品の小型軽量化を図ることを課題とする。
【０００５】
【課題を解決するための手段】
上記課題を達成するため、本願請求項１に記載の発明は、電源コードの取付け基端部を保持するケーブル取付部が、フレームの一部を利用してフレームの内側に形成されており、
前記電源コードの取付け基端部にはケーブルの延びる方向と直交する方向に横方向に張り出した係合フランジが形成されており、一方前記ケーブル取付部には前記係合フランジを上方から受け入れる係合溝部と、前記係合溝部が形成された案内側板と、取付け基端部の下面を下方から支持する支持板とが設けられており、前記ケーブル取付部は、フレームの一部を打ち抜き、内側に折り曲げ加工することにより、フレームと一体的に成形されており、前記内側に折り曲げ加工する際に、前記案内側板はケーブルの延びる方向と垂直な方向である縦方向にフレームとの間で隙間が設けられるように折り曲げ加工され、さらにケーブルの延びる方向と直行する方向である横方向に折り曲げ加工する場合にもフレームとの間で隙間が設けられるように折り曲げ加工されていることを特徴とするものである。
【０００６】
本発明によれば、従来使用されていたケーブルホルダを排除した分、部品点数を減らすことができる。またケーブルに作用する引っ張り、あるいは曲げに伴う力をフレームがしっかりと受け止めるから、耐衝撃性に優れた電源コードの取付装置を提供できる。
本発明によれば、電源コードの取付け基端部における係合フランジを上方から単に係合溝部に嵌め込むだけで電源コードの取り付けを容易に行うことができる。また電源コードに引っ張り力が作用した場合にも、係合 溝部が係合フランジの移動を完全に阻止できるため、取付け基端部が不意に抜けてしまうことを確実に防止できる。
本発明によれば、フレームの成形過程でケーブル取付部も同時に成形されるため、成形工程の減少を通じて製造コストの削減に寄与する。
【０００９】
また、請求項１に記載された電源コードの取付装置において、前記電源コードの取付け基端部をフレームに対して取り付けた状態では、取付け
基端部の外側端面はフレームの外面とほぼ同一平面上に位置することがよい。
【００１０】
本発明によれば、製品の奥行寸法を減少することができるとともに、突出部分がなくなることで不用意な外力が該部分に加わることがないので機械的強度が向上する他、外観構造における美感要素も良好となる。
【００１３】
また、本願請求項２に記載の発明は、請求項１に記載された電源コードの取付装置において、前記電源コードの取付け基端部はフレームの上部開 放面を閉塞する上蓋に形成されるケーブル押さえ部と前記ケーブル取付部とにより挟持されることによってフレームに固定状態で保持されることを特徴とするものである。
【００１４】
本発明によれば、電源コードの取付け基端部を固定するための部材を別途設ける必要がなく、部品点数を減少することができるとともに、上蓋をフレームに取り付ける際に同時に取付け基端部も固定されるため、組立工程の減少を通じて製造コストを削減することができる。
【００１５】
また、本願請求項３に記載の発明は、請求項１または２のいずれかに記載の電源コードの取付装置を備えていることを特徴とするものである。
【００１６】
本発明によれば、製造コストの削減に寄与し、設置スペースもとらず、使い勝手に優れた記録装置を提供できる。
【００１７】
【発明の実施の形態】
以下、本発明の実施の形態を図面に基づいて説明する。図１は本発明の一実施の形態に係る電源コードの取付装置を示す分解斜視図であり、図２は同電源コードの取付装置を示す平面図である。また図３は同電源コードの取付装置を示す縦断側面図であり、図４は同電源コードの取付装置を示す背面図である。
【００１８】
図１において、符号１は本発明に係る電源コードの取付装置を示し、図１では該構造をプリンタに適用した様子が示されている。なお、もちろん本発明の電源コードの取付装置１はプリンタ以外にも種々の電気製品に適用できる。
【００１９】
本発明の電源コードの取付装置１は、電源コードの取付け基端部３を保持するケーブル取付部５が、フレーム７の一部を利用してフレーム７の内側に形成されている。
【００２０】
電源コードの取付け基端部３は、ケーブル９に対して引っ張りないし曲げ方向に繰り返して力が作用する部分を保護強化し、フレーム７との絶縁性を図るように絶縁性を有するブロック状のプラスチック製材料で構成されている。取付け基端部３には、フレーム７に固定するための係合フランジ１１が、ケーブル９の延びる方向と直交する方向に横方向に張り出すように形成されている。
【００２１】
一方、フレーム７には、取付け基端部３を受け入れる受入部１３が上側が開口した状態で形成されており、この受入部１３の周囲にケーブル取付部５が形成されている。
【００２２】
ケーブル取付部５は、取付け基端部３における係合フランジ１１を上方から受け入れる係合溝部１５が形成された案内側板１７と、取付け基端部３の下面を下方から支持する支持板１９とを備えており、案内側板１７及び支持板１９のいずれもフレーム７の一部を打ち抜き、内側に折り曲げ加工することにより形成されている。このようにフレーム７の一部を利用してケーブル取付部５を形成することにより、従来のようにケーブルホルダを別部材として準備する必要がないから、部品点数を減らすことができ、より経済的な取付装置を提供することが可能となる。
【００２３】
取付け基端部３は、この取付け基端部３をケーブル取付部５に取り付けた状態において、取付け基端部３の外側端面２１がフレーム７の外面とほぼ同一平面上に位置するような形状を備えている。これにより製品の奥行寸法が減少し、省スペースの製品を提供することに寄与することができる。
【００２４】
電源コードの取付け基端部３の上面は、フレーム７の上部開放面を閉塞する上蓋２３に形成されるケーブル押さえ部２５によって保持されるようになっており、このケーブル押さえ部２５とフレーム７側のケーブル取付部５とによって、取付け基端部３が挟持され、フレーム７に対して固定することができる。
【００２５】
なお、ケーブル押さえ部２５も上記ケーブル取付部５と同様にして、上蓋２３の一部を打ち抜き、適宜の曲げ加工を施すことによって上蓋２３と一体的に成形されている。
【００２６】
本発明の電源コードの取付装置１は以上説明したとおりであり、以下本発明の電源コードの取付装置１による電源コードの取付方法について説明する。まず電源コードの取付け基端部３における係合フランジ１１を上方より案内側板１７に形成された係合溝部１５に挿入し、両者を係合させる。この状態で取付け基端部３の下面が支持板１９に当接するまで、取付け基端部３を下方に下ろすことにより取付け基端部３のケーブル取付部５への取り付けが完了する。
【００２７】
次いで取付け基端部３の内側端面よりフレーム７の内部に延びているケーブル９の被覆の一部を剥がして芯線を露出させ、トランス前段の一次側配線基板の所定の個所に接続し、半田付け等の処理を施すことで一次側回路との結線を行う。
【００２８】
そしてフレーム７へのすべての部品の組み付けが完了したところで、上方から上蓋２３をフレーム７上へ載せてフレーム７の上部開放面を閉鎖する。この時、ケーブル取付部５に取り付けられた電源コードの取付け基端部３は、上蓋２３に形成されているケーブル押さえ部２５によって押圧されるから、ケーブル取付部５との挟持作用によって、取付け基端部３はフレーム７に対して固定状態に保持される。その後ビス止め等により上蓋２３はフレーム７に固定され、電源コードのフレーム７への取り付けは完了する。
【００２９】
次に本発明の電源コードの取付装置１の他の実施の形態について説明する。上記実施の形態では、フレーム７を打ち抜き加工して形成された案内側板１７により係合溝部１５が形成されるようにしているが、このような係合溝部１５はフレーム７の一部と他の補助部材との共同により形成されるようにしてもよい。例えば、フレーム７の一部を案内側板１７同様に折り曲げ加工して係合フランジ１１の前面及び後面（ケーブル取付部５の形成されたフレーム７の面と平行な面）のみを規制するような部分を形成し、案内側板１７の側面側（ケーブル取付部５の形成されたフレーム７の面と直交する面）は他の補助部材を案内側板等に取り付けることにより位置を規制するようにしてもよい。
【００３０】
また係合溝部１５や支持板１９のように係合フランジ１１の位置を規制する構成は、図１の実施の形態のようにケーブル取付部５側に設けられる他、上蓋２３側に設けることも可能である。更にフレーム７のケーブル取付部５に支持板１９のみを形成し、上蓋２３側に係合溝部１５に相当するような係合フランジ１１を受け入れる部分を形成するようにしてもよい。
【００３１】
更にまた図１の実施の形態において、上蓋２３とケーブル取付部５との双方に係合フランジ１１を受け入れる係合溝部１５を形成し、係合フランジ１１を介してフレーム７と上蓋２３との位置関係が決定されるような構成を採ることも可能である。
【００３２】
また図１の実施の形態では、ケーブル押さえ部２５とケーブル取付部５とによる挟持作用と、係合フランジ１１と係合溝部１５とによる係合作用により取付け基端部３の保持を行っているが、取付け基端部３の保持を更に強固にするために、ケーブル押さえ部２５とケーブル取付部５とを固定する、ネジ止め等の締結手段を併用することも可能である。
【００３３】
【発明の効果】
本発明によれば、従来使用されていたケーブルホルダを排除することが可能となり、これに伴う部品点数の減少及び製品の奥行寸法の減少が可能となる。またこれにより同種の構造を備える種々の電気製品の製品コストの削減及び製品の小型軽量化を図ることができる。
【００３４】
また電源コードの取付け基端部をフレームに対して取り付けた状態において、取付け基端部の外側端面がフレームの外面とほぼ同一平面上に位置するようにすれば、製品の背面から突出した箇所がなくなるため、収納性が良くなるとともに美観的にも優れた製品となる。
【００３５】
更にケーブル取付部を、フレームの一部を打ち抜き、内側に折り曲げ加工してフレームと一体的に成形することにより、フレーム成形時に同時にケーブル取付部を成形することができるため、製造工程を減少させることができ、製品のコストダウンを図ることができる。
【図面の簡単な説明】
【図１】本発明の一実施の形態に係る電源コードの取付装置を示す分解斜視図である。
【図２】本発明の一実施の形態に係る電源コードの取付装置を示す平面図である。
【図３】本発明の一実施の形態に係る電源コードの取付装置を示す縦断側面図である。
【図４】本発明の一実施の形態に係る電源コードの取付装置を示す背面図である。
【図５】従来の電源コードの取付装置を示す分解斜視図である。
【符号の説明】
１    電源コードの取付装置
３    取付け基端部
５    ケーブル取付部
７    フレーム
９    ケーブル
１１    係合フランジ
１３    受入部
１５    係合溝部
１７    案内側板
１９    支持板
２１    外側端面
２３    上蓋
２５    ケーブル押さえ部
【図１】
0003879811.tif 000002
【図２】
0003879811.tif 000003
【図３】
0003879811.tif 000004
【図４】
0003879811.tif 000005
【図５】
0003879811.tif 000006